(57)【要約】  昼光色温度と実質的に同一であるスペクトル分布を生成可能なランプ（１２）を含む携帯用コードレス検査光アセンブリ（１０）。ランプは、その電球周囲に反射部（１４）と、その大きな端部を横断する光出口レンズ（１８）と、を有する。ライトは、略管状の筐体部分を有する筐体を含む。ランプは、筐体部分（２４）の開口部内に取り付けられていて、ランプの大きな端部は開口部を横断するように筐体部分の一端に近接し、ランプの反射部は筐体部分の他端に向かって開口部に沿って延在する。スルー開口部の通路部（３０）が、ランプの大きな端部周囲に提供されており、前記開口部内のファンアセンブリ（３２）は、ランプの外側表面全体に、開口部を通して、そしてそれらの通気路部を通して空気を推進して、ランプを冷却することができる。筐体は、手動係合可能なハンドル部分（３４）を含み、電球とファンアセンブリを動作することのできる充電式バッテリ（３６）を支持している。
2008524586.tif 000002
【特許請求の範囲】
【請求項１】
互いに反対側の第１および第２の端部を有し、前記端部間に外側表面を有し、前記第２の端部において前記第１の端部よりも大きな断面積を有し、前記第１の端部に電気接点を備えた、電気的に作動可能な電球を有するランプと、
軸、第１の端部、第２の端部および前記端部間を軸方向に延びるスルー開口部を有する略管状筐体部分を含む筐体と、
前記ランプを前記開口部に取り付ける手段であって、前記ランプの前記第２の端部が前記筐体部分の前記第２の端部に近接する前記開口部を横断し、前記ランプの前記第１の端部と第２の端部との間のランプが、前記スルー開口部に沿って、前記筐体部分の前記第１の端部へ延在している、手段と、
前記ランプの前記第２の端部に近接する前記ランプの前記外側表面周囲の前記スルー開口部から前記筐体部分と外部連通する通気路を提供する手段と、
前記筐体部分を通る前記開口部内にあるファンアセンブリであって、前記ランプの前記外側表面全体に、前記筐体部分の前記端部間で前記開口部を通して、さらに前記通気路を通して空気を推進すべく電気的に作動可能なファンアセンブリと、
電源を前記電球および前記ファンアセンブリに接続する手段と、
を含み、
前記筐体が、手動係合用に適合されたハンドル部分をさらに含む携帯用検査光アセンブリ。
【請求項２】
前記電球の前記電気接点が、前記ランプの前記第２の端部から突出するピンであり、前記検査光アセンブリが、前記ランプの前記第１の端部で前記ピンと係合しているソケットと、前記筐体にあって前記ソケットを支持する手段とを含み、前記ランプが前記ランプの前記第２の端部周囲にリムを有し、前記ランプが、前記リムを前記筐体に係合させかつ前記ピンを前記ソケットに係合させることによってのみ前記開口部に取り付けられる請求項１に記載の検査光アセンブリ。
【請求項３】
前記入口開口部と前記出口開口部との間の前記筐体部分を通る前記開口部の断面積が少なくとも約４．０平方インチ（２５．８平方センチメートル）であり、前記通気路の合計断面積が少なくとも約０．８４平方インチ（５．４２平方センチメートル）であり、前記ランプの前記第１の端部で前記ピンと係合している前記ソケットと、前記筐体にあって前記ソケットを支持する手段とが、前記筐体部分を通して前記開口部を横断して延在し、約１．３平方インチ（８．４平方センチメートル）未満の前記開口部を横断する面積を有する請求項２に記載の検査光アセンブリ。
【請求項４】
前記筐体部分を通る前記開口部の断面積が少なくとも約４．９平方インチ（３１．６平方センチメートル）であり、前記通気路の合計断面積が約１平方インチ（６．４５平方センチメートル）であり、前記ランプの前記第１の端部で前記ピンと係合している前記ソケットと、前記筐体にあって前記ソケットを支持する手段とが、前記筐体部分を通して前記開口部を横断して延在し、約１．１平方インチ（７．１平方センチメートル）の前記開口部を横断する面積を有する請求項２に記載の検査光アセンブリ。
【請求項５】
前記ランプが、昼光色温度と実質的に同一であるスペクトル分布を生成可能であり、前記ランプが、前記第２の端部に近接する反射部と、前記第２の端部を横断する光出口レンズとを有し、前記電球が部分的に前記反射部内にあって、前記筐体部分を通る前記開口部の断面積が少なくとも約４．４平方インチ（２８．４平方センチメートル）であり、前記通気路の合計断面積が少なくとも約０．８４平方インチ（５．４２平方センチメートル）である請求項１に記載の検査光アセンブリ。
【請求項６】
前記通気路が、前記ランプの前記第２の端部を通って延在している前記スルー開口部の部分である請求項１に記載の検査光アセンブリ。
【請求項７】
前記筐体が、厚さ約０．０８インチ（０．２ｃｍ）のアクリロニトリル−ブタジエン−スチレンからなる２片の成形品である請求項１に記載の検査光アセンブリ。
【請求項８】
電源を前記電球および前記ファンアセンブリに接続する前記手段が、前記筐体にバッテリを支持する手段と、前記支持手段のバッテリと前記電球との間を電気的に接続する手段とを含み、前記ファンアセンブリが、前記電気的に接続する手段と前記電球およびファンアセンブリとの間の電力を接続または切断する手動操作スイッチ手段を含む請求項１に記載の検査光アセンブリ。
【請求項９】
前記ハンドル部分が、前記入口端部と前記出口端部との間で前記管状部分に固定された第１の端部を有し、細長く、前記管状部分から突出していて、前記第１の端部と反対側の第２の端部を有し、前記筐体にあるバッテリ支持手段が、前記ハンドル部分の前記第２の端部で前記バッテリを支持し、前記手動操作スイッチ手段が、前記ハンドルの前記第１の端部に近接する前記ハンドル部分に取り付けられている請求項８に記載の検査光アセンブリ。
【請求項１０】
前記管状部分の前記第１の端部で前記開口部を横断するスクリーンをさらに含む請求項１に記載の検査光アセンブリ。
【請求項１１】
前記ファンアセンブリが、前記筐体部分端部の前記第１の端部から前記第２の端部まで前記開口部を通って、前記通気路から出すように空気を推進する請求項１に記載の検査光アセンブリ。
【請求項１２】
昼光色温度と実質的に同一であるスペクトル分布を生成可能であり、互いに反対側の第１および第２の端部を有し、前記端部間に外側表面を有し、前記第２の端部において前記第１の端部よりも大きな断面積を有し、前記第２の端部に近接する反射部と、前記第２の端部を横断する光出口レンズとを有し、前記第１の端部に前記電球用の電気接点ピンを備えた、前記反射部内に部分的にある電気的に作動可能な電球を有するランプと、
軸、第１の端部、第２の端部および前記端部間を軸方向に延びるスルー開口部を有する略管状筐体部分を含む筐体と、
前記ランプを前記開口部に取り付ける手段であって、前記ランプの前記第２の端部が前記筐体部分の前記第２の端部に近接する前記開口部を横断し、前記ランプの前記第２の端部と第１の端部との間のランプが前記スルー開口部に沿って、前記筐体部分の前記第１の端部へ延在している、手段と、
前記ランプの前記第２の端部に近接する前記ランプの前記外側表面周囲の前記スルー開口部から前記筐体部分と外部連通する通気路を提供する手段と、
前記筐体部分を通る前記開口部内にあるファンアセンブリであって、前記ランプの前記外側表面全体に、前記筐体部分の前記第１の端部と前記第２の端部との間で前記開口部を通して、さらに前記ランプの前記第２の端部周囲の前記通気路を通して空気を推進すべく電気的に作動可能なファンアセンブリと、
を含み、
前記筐体が、手動係合用に適合されたハンドル部分と、前記筐体にあってバッテリを支持する手段と、をさらに含み、
検査光が、前記支持手段にあるバッテリと、前記電球と前記ファンアセンブリとの間を電気的に接続する手段と、を含む携帯用コードレス検査光アセンブリ。
【請求項１３】
前記電球の前記電気接点が、前記ランプの前記第２の端部から突出するピンであり、前記検査光アセンブリが、前記ランプの前記第１の端部で前記ピンと係合しているソケットと、前記筐体にあって前記ソケットを支持する手段とを含み、前記ランプが前記ランプの前記第２の端部周囲にリムを有し、前記ランプが、前記リムを前記筐体に係合させかつ前記ピンを前記ソケットに係合させることによってのみ前記開口部に取り付けられる請求項１２に記載の検査光アセンブリ。
【請求項１４】
前記筐体部分を通る前記開口部の断面積が少なくとも約４．０平方インチ（２５．８平方センチメートル）であり、前記通気路の合計断面積が少なくとも約０．８４平方インチ（５．４２平方センチメートル）であり、前記ランプの前記第１の端部で前記ピンと係合している前記ソケットおよび前記筐体にあって前記ソケットを支持する手段が、前記筐体部分を通して前記開口部を横断して延在し、約１．３平方インチ（８．４平方センチメートル）未満の前記開口部を横断する面積を有する請求項１３に記載の検査光アセンブリ。
【請求項１５】
前記筐体部分を通る前記開口部の断面積が少なくとも約４．９平方インチ（３１．６平方センチメートル）であり、前記通気路の合計断面積が少なくとも約０．８４平方インチ（５．４２平方センチメートル）である請求項１２に記載の検査光アセンブリ。
【請求項１６】
前記筐体部分を通る前記開口部の断面積が約４．９平方インチ（３１．６平方センチメートル）であり、前記通気路の合計断面積が約１．１平方インチ（７．１平方センチメートル）である請求項１２に記載の検査光アセンブリ。
【請求項１７】
前記通気路が前記ランプの前記第２の端部を通って延在している前記スルー開口部の部分である請求項１２に記載の検査光アセンブリ。
【請求項１８】
前記筐体が、厚さ約０．０８インチ（０．２ｃｍ）のアクリロニトリル−ブタジエン−スチレンからなる２片の成形品である請求項１２に記載の検査光アセンブリ。
【請求項１９】
前記ハンドル部分が、前記入口端部と前記出口端部との間で前記管状部分に固定された第１の端部を有し、細長く、前記管状部分から突出していて、前記第１の端部と反対側の第２の端部を有し、前記筐体にあるバッテリ支持手段が、前記ハンドル部分の前記第２の端部で前記バッテリを支持する請求項１２に記載の検査光アセンブリ。
【請求項２０】
前記ファンアセンブリが、前記筐体部分の前記第１の端部から前記第２の端部まで前記開口部を通って、前記通気路から出すように空気を推進する請求項１２に記載の検査光アセンブリ。
【発明の詳細な説明】
【技術分野】
【０００１】
本発明は、新たな塗装面などの表面の検査に使用可能な、太陽光と略等価の光を生成する光源アセンブリに関する。
【背景技術】
【０００２】
日光と略等価の光で表面を検査するのが望ましい状況が数多くある。例えば、かかる光の下でその表面の色を判断したり、その表面の欠陥や凹凸をよく確かめたい場合である。かかる状況の１つは、表面（例えば、車体表面）が屋内で塗装されているときであり、その表面を日光の下へと屋外へ動かすことができない場合である。
【０００３】
昼光色温度と実質的に同一の光を生成できるランプ（例えば、米国特許第５，４１８，４１９号明細書（マクガイヤ（ＭｃＧｕｉｒｅ））に記載された、ニューヨーク州、ピッツフォードのテイラードライティング社（Ｔａｉｌｏｒｅｄ  Ｌｉｇｈｔｉｎｇ  Ｉｎｃ，Ｐｉｔｔｓｆｏｒｄ，Ｎ．Ｙ．）より「ソラックス（ＳｏＬｕｘ）」という商品名で市販されているランプ）が開発されている。
【０００４】
我々が実施した試験によれば、米国特許第５，４１８，４１９号明細書に記載されたタイプのランプ（すなわち、ニューヨーク州、ピッツフォードのテイラードライティング社（Ｔａｉｌｏｒｅｄ  Ｌｉｇｈｔｉｎｇ  Ｉｎｃ，Ｐｉｔｔｓｆｏｒｄ，Ｎ．Ｙ．）より「ソラックス（ＳｏＬｕｘ）」４７００Ｋという商品名で市販されているランプ）は、１２ボルト直流電源により動作させると、多くの光アセンブリの筐体が作製されるポリエチレン、ポリプロピレン、ＡＢＳまたはポリカーボネートなどの熱可塑性材料を軟化、変形または溶融するのに十分な、１８８℃（３７０°Ｆ）を超え、２５４℃（４９０°Ｆ）と高い外側表面温度に達するということが分かっている。
【発明の開示】
【発明が解決しようとする課題】
【０００５】
日光と同様の光により塗装を検査するのに用いることのできる検査光アセンブリは、「ソーラーシミュレータ（Ｓｏｌａｒ  Ｓｉｍｕｌａｔｏｒ）３８」という商品名で商業的に知られている検査光アセンブリをはじめとし、ニューヨーク州、ロチェスターのテイラードライティング社（Ｔａｉｌｏｒｅｄ  Ｌｉｇｈｔｉｎｇ  Ｉｎｃ．，Ｒｏｃｈｅｓｔｅｒ，Ｎ．Ｙ．）より市販されている。しかしながら、これらの検査光アセンブリは、接地または固定構造に支持されており、電力を交流させることにより、変圧器および整流器を通して電力供給されるため、コードを通してかかる電源に接続されていなければならない。このように、光源は、表面から容易に移動できないため、光源アセンブリを用いる前に、電源コンセントが存在していなければならず、光源を電気力コンセントから用いることができる距離を制限するコードをコンセントに接続しなければならない。
【０００６】
米国特許第６，６３３，１１０号明細書（マクガイヤ（ＭｃＧｕｉｒｅ）ら）には、米国特許第５，４１８，４１９号明細書に記載されたタイプのランプを含むランプアセンブリが記載されており、このランプアセンブリは、直流電源を含んでいて、携帯用であり、防水性で、水中での使用を目的としている。そのランプアセンブリのランプの動作によって、筐体が内部熱シールドを含むだけの十分な熱が生じる。このランプアセンブリは外見上、高熱伝導性を備えた材料（例えばアルミニウム）で作製された筐体を含んでいる。米国特許第６，６３３，１１０号明細書には、記載されたランプアセンブリは、熱放散フィンが筐体の外側表面に配置されていれば、水から出して使えることが示唆されている。
【課題を解決するための手段】
【０００７】
本発明は、日光と略等価の光で表面を検査するのに用いることのできる（例えば、かかる光の下で表面の色を判断したり、その表面の欠陥や凹凸をよく確かめるために）完全に携帯用のコードレス検査光アセンブリであって、光アセンブリの筐体が、従来の光アセンブリの筐体に一般的に用いられている比較的安価なポリマー材料で作製できる十分に効率的なランプ冷却システムを含む光アセンブリを提供することができる。
【０００８】
本発明による携帯用コードレス検査光アセンブリは、（１）第２の端部において第１の端部よりも大きな断面積を有し、第２の端部に近接する反射部と、第２の端部を横断する光出口レンズとを有し、第１の端部に電球用の電気接点ピンを備えた、反射部内に部分的にある電気的に作動可能な電球を有するランプ（例えば、米国特許第５，４１８，４１９号明細書に記載されたランプなどの昼光色温度と実質的に同一のスペクトル分布を生成可能なランプ）と、（２）軸と、筐体部分の第１の端部と第２の端部との間を軸方向に延びるスルー開口部（ｔｈｒｏｕｇｈ  ａｘｉａｌｌｙ  ｅｘｔｅｎｄｉｎｇ  ｏｐｅｎｉｎｇ）とを有する略管状筐体部分を含む筐体と、（３）ランプを開口部内に取り付ける手段であって、ランプの第２の端部が筐体部分の第２の端部に近接する開口部を横断し、その第１の端部と第２の端部との間のランプがスルー開口部に沿って、筐体部分の第１の端部へ延在している、手段と、（４）ランプの第２の端部に近接するランプの外側表面周囲のスルー開口部から筐体部分と外部連通する通気路を提供する手段と、（５）筐体部分を通る開口部内にあるファンアセンブリであって、ランプの外側表面全体に、開口部を通して、さらにランプの第２の端部周囲の通気路を通して空気を推進すべく電気的に作動可能なファンアセンブリと、を含み、（６）筐体は、手動係合用に適合されたハンドル部分をさらに含み、（７）検査光は、電源を電球およびファンアセンブリに接続する手段を含む。
【０００９】
検査光アセンブリは、ランプの第１の端部での電気接点の接触により係合したソケットと、スルー開口部を通して空気の流れを少ししか妨げない筐体にあるソケットを支持する手段とを含むことができ、ランプは、ランプの第２の端部周囲のリムの筐体との係合および接点のソケットとの係合によってのみスルー開口部に取り付けることができ、ファンからの空気が、ランプの略全外側表面に沿って流れて、ランプを冷却することができる。
【００１０】
第１の端部と第２の端部との間の筐体部分を通る開口部の断面積は、少なくとも約４．０平方インチ（２５．８平方センチメートル）、例えば、少なくとも約４．９平方インチ（３１．６平方センチメートル）とすることができ、通気路の合計断面積は、少なくとも約０．８４平方インチ（５．４２平方センチメートル）、例えば、約１〜１．２５平方インチ（６．４５〜８．０６平方センチメートル）の範囲とすることができ、ランプの第２の端部周囲のスルー開口部の部分とすることができる。
【００１１】
光アセンブリのランプ冷却システムは、その筐体が、厚さ約０．０８インチ（０．２ｃｍ）のアクリロニトリル−ブタジエン−スチレン（ＡＢＳ）などの比較的安価なポリマー材料で成形でき、十分に効率的である。
【００１２】
添付の図面を参照して、本発明をさらに説明する。いくつかの図面において、同じ参照番号は同じ部分を参照している。
【発明を実施するための最良の形態】
【００１３】
図面を参照すると、参照番号１０で示される本発明による携帯用コードレス検査光アセンブリが図示されている。
【００１４】
通常、携帯用コードレス検査光アセンブリ１０は、昼光色温度と実質的に同一のスペクトル分布を生成できるランプ１２（例えば、ニューヨーク州、ピッツフォードのテイラードライティング社（Ｔａｉｌｏｒｅｄ  Ｌｉｇｈｔｉｎｇ  Ｉｎｃ，Ｐｉｔｔｓｆｏｒｄ，Ｎ．Ｙ．）より「ソラックス（ＳｏＬｕｘ）」４７００Ｋという商品名で市販されているような米国特許第５，４１８，４１９号明細書に記載されているランプ）を含む。ランプ１２は、第１の端部１６、その反対側の第２の端部１７および外側表面１５を有している。
【００１５】
ランプ１２は、第１の端部１６よりも第２の端部１７において大きな断面積を有し、その第２の端部１７に近接する略放物線の反射部分１４と、その第２の端部１７を横断する光出口レンズ１８とを有し、その第１の端部１６から突出する電球２０用の接点ピン２１の形態の電気接点を備えた、部分的にその反射部分１４内にある電気的に作動可能な電球２０を有する。検査光アセンブリ１０はまた、軸２５、第１または入口端部２６、第２または出口端部２７、およびその端部２６と２７との間の断面積が約４．９平方インチ（３１．６平方センチメートル）のスルー軸方向延在開口部２８を有する略管状筐体部分２４を含む筐体２２も含む。開口部２８内にランプ１２を取り付けるための手段が提供されており、ランプ１２の第２の端部１７が、筐体部分２４の第２の端部２７に近接する開口部２８を横断しており、第２の端部１７と第１の端部１６との間にあるランプ１２がスルー開口部２８内にあり、筐体部分２４の第１の端部２６に向かって突出しており、ランプの外側表面１５のほとんど全てが、その端部１６と１７との間でスルー開口部２８内で露出している。その第２の端部１７でランプ１２の外側表面１５周囲のスルー開口部２８から筐体部分２４と外部連通する排気路３０を形成するための手段も提供されている。これらの通気路３０の合計断面積は少なくとも約０．８４平方インチ（５．４２平方センチメートル）、例えば、約１平方インチ（６．４５平方センチメートル）であり、筐体部分２４の第１の端部２６で開口部２８の断面積の約２０パーセントであり、ランプ１２の第２の端部１７周囲のスルー開口部２８の部分である。ファンアセンブリ３２は、筐体部分２４を通して開口部２８内の筐体２２に取り付けられている。ファンアセンブリ３２は、電気的に操作可能であり、ランプの第１の端部１６からその第２の端部１７へ軸方向にランプ１２の外側表面１５全体およびそれに沿って、筐体部分２４の第１または入口端部２６から第２の端部２７に向かって開口部２８を通して、そして、ランプ１２の第２の端部１７周囲の通気路３０を通して空気を推進する。筐体２２は、手動係合用に適合されたハンドル部分３４と、筐体２２にある充電可能なバッテリを支持する手段とをさらに有し、検査光アセンブリ１０は、筐体２２上に支持されたバッテリと、電球２０と、ファンアセンブリ３２との間に電気的接続をする手段を含み、これは、バッテリと、電球２０およびファンアセンブリ３２との間の電力を接続または切断する手動操作スイッチ手段３８を含む。
【００１６】
ファンアセンブリ３２は、直流マフィンファンと呼ばれることもあるタイプのものであり、１分につき少なくとも約２．７５立方フィート（１分につき０．０７８立方メートル）、好ましくは１分につき少なくとも約３．２６立方フィート（１分につき０．０９立方メートル）の、開口部２８および通気路３０を通る軸方向気流を生成するものである。本検査光アセンブリ１０に用いるのに好適なファンアセンブリ３２は、ミネソタ州、シーフリバーフォールズのデジキー（Ｄｉｇｉｋｅｙ，Ｔｈｉｅｆ  Ｒｉｖｅｒ  Ｆａｌｌｓ，ＭＮ）より市販されている「サンオン（ＳＵＮＯＮ）（登録商標）ＫＤ１２０５ＰＦＢ１，ＤＣ１２Ｖ，１．６Ｗ」として商業的に知られているものである。そのファンアセンブリは、１分につき１１立方フィート（１分につき０．３１立方メートル）と見積もられ、１分につき約３．２６立方フィート（１分につき０．０９立方メートル）の開口部２８および通気路３０を通る軸方向気流を生成する。これは、電球２０を１２ボルトの直流電力に接続し、長時間にわたって操作するとき、筐体２２と接触するランプ１５の第２の端部１７で外側リムの外側表面温度を約１７２°Ｆ（７７．８℃）に維持することが分かっている。この温度は、筐体を作製するのに用いる多くのポリマー材料の軟化温度より低いため、筐体２２はかかるポリマー材料で形成することができる。
【００１７】
光アセンブリ１０は、筐体部分２４の第１の端部すなわち入口端部２６で開口部２８を横断して支持されるグリルまたはスクリーン３３（例えば、ワイヤ間に幅０．０５インチ、すなわち０．１３センチメートルの四角い開口部を備えた直径０．０３インチ、すなわち０．０８センチメートルの鋼ワイヤのスクリーン）を含んでおり、開口部２８への気流の出入りを自由にさせながら、ファンアセンブリ３２との接触を制限している。
【００１８】
ハンドル部分３４は、その第１の端部２６と第２の端部２７との間の略中間に筐体部分２４に固定された第１の端部４０を有しており、細長く、筐体部分２４から突出していて、筐体２２にあるバッテリを支持する手段を含むその第１の端部４０の反対に第２の端部４１を有している。ハンドル部分３４は、手で簡単に握れる形状の長さと断面を有しており、手動操作スイッチ手段は、筐体部分２４の第２の端部２７に近接するハンドル部分３４の側部で、ハンドル部分３４の第１の端部４０に近接する、枢動可能に取り付けられたロッカースイッチ３８を含んでおり、スイッチ３８は人差し指で簡単に操作して、ハンドル部分３４を握ることができる。スイッチ３８は、バッテリと電球２０との間の電気的接続およびバッテリとファンアセンブリ３２との間の電気的接続を同時に接続または切断することができる。
【００１９】
充電式バッテリは、１２ボルトの充電式バッテリパックアセンブリ３６にあって、メリーランド州、バルチモアのデウォルトインダストリアルツール社（ＤｅＷａｌｔ  Ｉｎｄｕｓｔｒｉａｌ  Ｔｏｏｌ  Ｃｏ．，Ｂａｌｔｉｍｏｒｅ，Ｍａｒｙｌａｎｄ）より市販されていて、商業的に知られている型番ＤＣ９０７７ＸＲＰバッテリパックである。バッテリパックアセンブリ３６は、バッテリパックアセンブリ３６により取り外し可能に係合されるようになっているハンドル部分３４の第２の端部４１でバッテリパックアセンブリ受入支持構造４２に取り外し可能に取り付けられていて、係合すると、バッテリパックアセンブリ３６を支持し、支持構造４２の電気接点と、バッテリパックアセンブリ３６の電気接点との間に電気的接続がなされる。
【００２０】
筐体２２は、それぞれ厚さが約０．０８インチ（０．２ｃｍ）のアクリロニトリル−ブタジエン−スチレン（ＡＢＳ）の２つの略異種対掌性（ａｌｌｏｃｈｉｒａｌ）の成形部分４３および４４を含む。管状部分２４の第２の端部２７の内側表面周囲の溝は、ランプ１２の第２の端部１７の周囲でリム４７を受けて支持する。筐体部分２４の反対側から開口部２８へ突出しているポスト４６は、ランプ１２の第１の端部１６でピン２１と係合する電気ソケット４５の両端部を受ける、それら対向する間隔のあいた遠端にソケットを有していて、ポスト４６とソケット４５は、管状部分２４の出口端部２７の内側表面周囲の溝と一緒に筐体２２でのランプ１２の全体の支持を提供する。ランプ１２の第１の端部１６および筐体にあるソケットを支持するポスト４６でピン２１と係合するソケット４５は、開口部２８を横断して延在しており、約１．３平方インチ（８．４平方センチメートル）未満、好ましくは約１．１平方インチ（７．１平方センチメートル）の開口部２８を横断する面積を有していて、ソケット４５およびポスト４６の上下に４．９平方インチ（３１．６平方ｃｍ）を超える併せた面積の、空気が流れる開口部の部分が残る。管状部分２４の反対側から開口部２８へ突出している突出部４９のリセスは、ファンアセンブリ３２の固定部分４８の４つの隅を受けて支持する。その第１の端部２６で管状部分２４の内側表面周囲の溝が、グリル３３の周囲端部を受けて支持する。筐体部分４３および４４の間隔のあいた端部は、スイッチ３８が支持および保持されるソケットを形成する。ハンドル部分３４の第２の端部４１に形成された対向するソケットは、バッテリ３６との電気接点を維持するプレート５０を受けて支持する。ランプ１２、ソケット４４、ファンアセンブリ３２、グリル３３、スイッチ３８およびプレート５０は、筐体２２の成形部分４３および４４と共に取り付けられたスクリュー５２により、そして、管状部分２４の第２の端部２７全体に、管状部分２４の外側表面周囲で溝５５に受けられるカラー５４にある放射状に内側に突出する環状リップと解放可能に係合する円形カラー５４により、筐体２２内の定位置に保持される。
【００２１】
筐体部分２４、その第２の端部でランプ１２の外側表面１５周囲のスルー開口部２８から筐体部分２４と外部連通する通気路３０、ファンアセンブリ３２、グリル３３およびスルー開口部においてランプ１２を支持する手段により提供される光アセンブリ１０のランプ１２用冷却システムは、その第１の端部１６と第２の端部１７との間でランプ１２の外側表面１５をほとんど全て露出させ、ファンアセンブリ３２からの空気がその第１の端部１６からその第２の端部１７まで外側表面１５に沿って軸方向に流れることができるので、たとえランプ１２を長く操作しても、ランプ１２が取り付けられるポリマー筐体２２を軟化しないその外側表面１５に沿って温度を維持するのに十分に効率的である。例えば、開口部２８および通気路３０を通して１分につき約３．２６立方フィート（０．０９立方メートル）で気流を提供しながら、例示のランプ１２および上述したファンアセンブリ３２を約７２°Ｆ（２２℃）の周囲温度で１２分間操作した試験において、筐体２２と接触するその第２の端部１７でランプ１２のリムの温度は約１６９°Ｆ（７６℃）であった。近接する筐体２２の温度は約１４７°Ｆ（６４℃）であり、ランプ１２の第１の端部１６に近接する反射部分１４の端部でランプ１２の温度は約３１１°Ｆ（１５５℃）であり、これらの位置の間の略中間の反射部分１４の温度は約２２８°Ｆ（１０９℃）であった。通気路３０の面積の１／４をブロックして、開口部２８と通気路３０を通る気流を減じると、これらの温度は僅かしか変化しなかったが、通気路３０の面積の１／２をブロックして、開口部２８と通気路３０を通る気流を減じると、筐体２２と接触するその第２の端部１７でのランプ１２のリムの温度は、約１８１°Ｆ（８３℃）まで上がり、近接する筐体２２温度は約１６５°Ｆ（７４℃）であり、ランプ１２の第１の端部１６に近接する反射部分１４の端部でのランプ１２の温度は約３６１°Ｆ（１８３℃）まで上がり、これらの位置間の略中間の反射部分１４の温度は約２５２°Ｆ（１２２℃）まで上がって、筐体２２の望ましくない軟化を招いた。
【００２２】
本発明を１つの実施形態を参照して説明してきた。本発明の範囲から逸脱することなく上述の実施形態において多くの様々な変更を行えることは当業者には明白であろう。例えば、筐体部分２４に開口部を放射状に延在することにより、その第２の端部１７でランプ１２の外側表面１５周囲のスルー開口部２８から筐体部分と外部連通する通気路を形成するための手段を提供することができる。検査光アセンブリ１０は、ワイヤスクリーン３３の代わりに、筐体部分の第１または入口端部２６で開口部２８を横断するポリマー材料製グリルを有することができ、グリルは、スクリーンよりも気流の制限がやや大きいが、筐体２２の異なる部分４３と４４のうち１つとそれぞれ一体成形される２つのパーツで作製できるという利点を与える。ファンアセンブリは、通気路３０を通して、筐体部分２４の第２の端部２７からランプ１２の外側表面１５全体に、空気を引き、筐体部分２４の第１の端部で開口部２８から空気を排気する配置とすることができる。筐体にバッテリを取り付ける代わりに、電源を電球およびファンアセンブリに接続する手段は、交流電源と係合できる変圧器および整流器をはじめとする電源などの、筐体に取付けられない電源からのコードを含むことができる。用いるランプは、ハロゲンランプ、特に、コネチカット州、ウィルトンのＧＥライティング（ＧＥ  Ｌｉｇｈｔｉｎｇ，Ｗｉｌｔｏｎ，Ｃｏｎｎｅｃｔｉｃｕｔ）より「ＨＩＲ  ＰＡＲ」、「ＨＩＲウルトラ（Ｕｌｔｒａ）ＸＬ  ＰＡＲ」および「コンスタントカラープレサイス（ＣｏｎｓｔａｎｔＣｏｌｏｒ  Ｐｒｅｃｉｓｅ）ＭＲ１６」という商品名で市販されている、演色指数（ＣＲＩ）が少なくとも８０、より好ましくはＣＲＩが１００のランプなど、上述したランプ以外のランプとすることができる。筐体部分２４の断面形状は、略円筒形以外とすることができ、断面形状はその長さに沿って変えることができる。筐体２２は、ポリマー材料でなく金属で作製することができる。手動係合用に適合されたハンドル部分を筐体部分の外側表面により提供すると、検査光アセンブリを従来の懐中電灯のように握ることができる。検査光アセンブリは、ランプが異なる色温度格付けを有し、異なる目的で別々に操作可能なファンアセンブリとランプをそれぞれ含む平行な略管状筐体部分など、２つ以上のランプと２つ以上のファンアセンブリで作製することができる。このように、本発明の範囲は、本明細書に記載した方法および構造および方法に限定されるものではなく、請求項の文言により記載された構造および方法そしてその等価物によってのみ限定されるものである。
【図面の簡単な説明】
【００２３】
【図１】本発明による携帯用コードレス検査光アセンブリの斜視図である。
【図２】アセンブリのために筐体の一部、筐体の端部キャップおよびバッテリアセンブリを除去した図１の検査光アセンブリの側面図である。
【図３】図１の検査光アセンブリの部分正面図である。
【図４】図１の線４−４に略沿った部分断面図である。
【図５】図１の線５−５に略沿った部分断面図である。
【図６】図１の線６−６に略沿った拡大部分断面図である。
【図１】
2008524586.tif 000003
【図２】
2008524586.tif 000004
【図３】
2008524586.tif 000005
【図４】
2008524586.tif 000006
【図５】
2008524586.tif 000007
【図６】
2008524586.tif 000008
【国際調査報告】
2008524586.tif 000009
2008524586.tif 000010
2008524586.tif 000011